(57)【要約】【課題】  邪魔にならずに充電を行う。【解決手段】  携帯電話機２のインターフェイスコネクタ３に接続コネクタ６を電気的に接続して携帯電話機２を充電する本体５を備えた携帯電話機用充電器であって、前記接続コネクタ６が、該接続コネクタ６を前記インターフェイスコネクタ３に接続したとき、前記本体５を携帯電話機２の裏面に近接すると共に対向させた状態に保持し得る連結体７を介して前記本体５に連結されている。本体５に、本体５を携帯電話機２に着脱可能に固着する固着手段３０を設けることが好ましい。【選択図】  図２
2005033976.tif 000002
【特許請求の範囲】
【請求項１】
携帯電話機のインターフェイスコネクタに接続コネクタを電気的に接続して携帯電話機を充電する本体を備えた携帯電話機用充電器であって、前記接続コネクタが、該接続コネクタを前記インターフェイスコネクタに接続したとき、前記本体を前記携帯電話機の裏面に近接すると共に対向させた状態に保持し得る連結体を介して前記本体に連結されていることを特徴とする携帯電話機用充電器。
【請求項２】
前記連結体が、フレキシブル電線、フレキシブルチューブ等のフレキシブル連結体である請求項１に記載の携帯電話機用充電器。
【請求項３】
前記連結体が、ほぼコ字状に形成される３つの連結片からなる請求項１に記載の携帯電話機用充電器。
【請求項４】
前記連結体の２つの角部の少なくとも一方が、隣接する連結片が互いに折り曲げ可能に連結してなる折曲部として形成されている請求項３に記載の携帯電話機用充電器。
【請求項５】
前記３つの連結片が、直線状に配置されると共にこの直線状の状態から両方向にそれぞれほぼコ字状に折り曲げ可能に連結されている請求項４に記載の携帯電話機用充電器。
【請求項６】
前記連結体が、前記接続コネクタを前記インターフェイスコネクタに接続した状態で、前記本体を前記携帯電話機の裏面に沿って移動可能に形成されている請求項３乃至５のいずれか１項に記載の携帯電話機用充電器。
【請求項７】
前記連結体が、前記接続コネクタを前記インターフェイスコネクタに接続した状態で、前記本体を前記携帯電話機の裏面に対して直交する方向に沿って移動可能に形成されている請求項３乃至６のいずれか１項に記載の携帯電話機用充電器。
【請求項８】
前記本体に、該本体が前記携帯電話機の裏面に近接すると共に対向した状態で該本体を前記携帯電話機に着脱可能に固着する固着手段を設けた請求項１乃至７のいずれか１項に記載の携帯電話機用充電器。
【請求項９】
携帯電話機のインターフェイスコネクタに接続コネクタを電気的に接続して携帯電話機を充電する本体を備えた携帯電話機用充電器であって、前記接続コネクタが、該接続コネクタを前記インターフェイスコネクタに接続したとき、前記本体を前記携帯電話機の裏面に近接すると共に対向させた状態にする連結体を介して前記本体に連結され、前記本体に、該本体が前記携帯電話機の裏面に近接すると共に対向した状態で該本体を前記携帯電話機に着脱可能に固着する固着手段を設けたことを特徴とする携帯電話機用充電器。
【請求項１０】
前記固着手段が、マグネット、粘着テープ、粘着剤又は吸盤である請求項８又は９に記載の携帯電話機用充電器。
【発明の詳細な説明】
【発明の詳細な説明】
【技術分野】
【０００１】  本発明は、充電を行うときに邪魔にならない携帯電話機用充電器に関するものである。
【背景技術】
【０００２】  携帯電話機は、電源としてリチウム電池やニッカド電池などの二次電池である充電可能な電池（バッテリー）を内蔵している。電池切れの場合には、通常、付属している充電器（専用充電器）を用いて商用電源（ＡＣ電源）等から内蔵電池の充電を行っている。【０００３】  専用充電器は、携帯することを前提にするものではなく、自宅等の建物の所定の場所に置いて使用するものであり、携帯に適さず、しかも、商用電源がない場所では役に立たない。このため、内蔵電池の残量が少なくなると、予め専用充電器を用いて充電を行なう必要があるが、常に残量を気にするわけではない。残量が少ない状態や電池切れの状態のまま外出することもあり、外出時、電池切れが起こり携帯電話機を使用することができなくなってしまうことがある。特に、近年、内蔵電池は、１回の充電で長時間の使用が可能になってきているので、残量を気にする頻度が少なくなり、外出時、電池切れを起こすことが多くなると思われる。【０００４】  このため、外出先でも携帯電話機の内蔵電池の充電を行える携帯電話機用充電器がいくつか知られている。この携帯電話機用充電器としては、例えば、市販の単３型乾電池を用いて行える携帯電話機用外付け電池ケース（例えば、特許文献１参照。）や、簡単に内蔵電池の充電を行え、携帯性に優れた携帯電話機用外付け電池ケースが提案されている。【０００５】  この携帯電話機用外付け電池ケースは、市販の乾電池である単３型乾電池３本を交換可能に収容する電池収容部を有する本体と、その電池収容部の開口部を開閉する蓋と、本体に取り付けられ、単３型乾電池を直列接続する接続端子と、本体に固定され、携帯電話機のインターフェイスコネクタに嵌合される接続コネクタと、その接続コネクタに取り付けられ、携帯電話機のインターフェイスコネクタに電気的に接続される接触端子と、その接触端子と接続端子とを接続する接続部材と、を備えたものである。この携帯電話機用外付け電池ケースの本体に単３型乾電池３本を収容してから、接続コネクタを携帯電話機のインターフェイスコネクタに嵌合することで、接触端子とインターフェイスコネクタとが電気的に接続されて、直列接続された３本の乾電池によって携帯電話機の内蔵電池が充電される。【０００６】
【特許文献１】  実用新案登録第３０５０００６号公報
【発明が解決しようとする課題】
【０００７】  ところで、前述の携帯電話機用外付け電池ケースは、３本の単３型乾電池を本体に収容し、収容後、接続コネクタを携帯電話機のインターフェイスコネクタに嵌合接続することにより、携帯電話機の内蔵電池の充電を行うことができる。しかし、インターフェイスコネクタは、携帯電話機の例えば端面のばほぼ中央部に設けられており、このインターフェイスコネクタに接続コネクタを介して携帯電話機用外付け電池ケースを嵌合して接続すると、図７に示すように、携帯電話機用外付け電池ケース５０は、携帯電話機２と同一平面上に位置されて、携帯電話機２から突出した状態となるので、携帯電話機２の内蔵電池の充電を行う際に携帯電話機用外付け電池ケース５０が邪魔になることがある。
【０００８】  そこで、本発明は、このような実情に鑑みなされたものであり、その目的は、邪魔にならずに充電を行える携帯電話機用充電器を提供することにある。
【課題を解決するための手段】
【０００９】  前記目的を達成するために、本発明の携帯電話機用充電器は、携帯電話機のインターフェイスコネクタに接続コネクタを電気的に接続して携帯電話機を充電する本体を備えた携帯電話機用充電器であって、前記接続コネクタが、該接続コネクタを前記インターフェイスコネクタに接続したとき、前記本体を前記携帯電話機の裏面に近接すると共に対向させた状態に保持し得る連結体を介して前記本体に連結されているものである。
【００１０】  前記連結体が、フレキシブル電線、フレキシブルチューブ等のフレキシブル連結体であることが好ましい。
前記連結体が、ほぼコ字状に形成される３つの連結片からなることが好ましい。
前記連結体の２つの角部の少なくとも一方が、隣接する連結片が互いに折り曲げ可能に連結してなる折曲部として形成されていることが好ましい。
前記３つの連結片が、直線状に配置されると共にこの直線状の状態から両方向にそれぞれほぼコ字状に折り曲げ可能に連結されていることが好ましい。
前記連結体が、前記接続コネクタを前記インターフェイスコネクタに接続した状態で、前記本体を前記携帯電話機の裏面に沿って移動可能に形成されていることが好ましい。
前記連結体が、前記接続コネクタを前記インターフェイスコネクタに接続した状態で、前記本体を前記携帯電話機の裏面に対して直交する方向に沿って移動可能に形成されていることが好ましい。
【００１１】  前記本体に、該本体が前記携帯電話機の裏面に近接すると共に対向した状態で該本体を前記携帯電話機に着脱可能に固着する固着手段を設けることが好ましい。
前記固着手段が、マグネット、粘着テープ、粘着剤又は吸盤であることが好ましい。
【００１２】  また、本発明の携帯電話機用充電器は、携帯電話機のインターフェイスコネクタに接続コネクタを電気的に接続して携帯電話機を充電する本体を備えた携帯電話機用充電器であって、前記接続コネクタが、該接続コネクタを前記インターフェイスコネクタに接続したとき、前記本体を前記携帯電話機の裏面に近接すると共に対向させた状態にする連結体を介して前記本体に連結され、前記本体に、該本体が前記携帯電話機の裏面に近接すると共に対向した状態で該本体を前記携帯電話機に着脱可能に固着する固着手段を設けたものである。
前記固着手段が、マグネット、粘着テープ、粘着剤又は吸盤であることが好ましい。
【発明を実施するための最良の形態】
【００１３】  以下、本発明の実施の形態を添付図面に基づいて詳述する。
図１及び図２は本発明の携帯電話機用充電器の一例が示されている図である。図３乃至図６は本発明の携帯電話機用充電器の他の例が示されている図である。図１乃至図６において、１は携帯電話機用充電器を示し、この携帯電話機用充電器１は、携帯電話機２の内蔵電池（図示せず）を充電するためのものである。【００１４】  携帯電話機２としては、機種によっていろいろな形状のものがあり特に限定されず、ストレートタイプのものであっても、図示するような二つ折りタイプのものであってもよい。
携帯電話機２の端面のほぼ中央部には、通信データの送受信や内蔵されている充電可能な内蔵電池（バッテリー）の充電等を行えるようにインターフェイスコネクタ３が設けられている。【００１５】  インターフェイスコネクタ３は、メス型のコネクタであり、その形状は、携帯電話機が利用する方式によって異なる。携帯電話機の主な方式は、ＰＤＣ（Ｐｅｒｓｏｎａｌ  Ｄｉｇｉｔａｌ  Ｃｅｌｌｕｌａｒｓｙｓｔｅｍ：デジタル携帯電話）とＣＤＭＡ（Ｃｏｄｅ  Ｄｉｖｉｓｉｏｎ  Ｍｕｌｔｉｐｌｅ  Ａｃｃｅｓｓ：符号分割多重接続）との２つがあり、この２つの方式を利用した携帯電話機のコネクタ部は嵌合形状が異なるが、本実施の形態では、特に限定せずに説明する。
インターフェイスコネクタ３には、例えば１６個のコネクタ端子を有する端子部（図示せず）が設けられている。インターフェイスコネクタ３は、未使用時、ゴミ等が入らないようにカバー（図示せず）が装着されている。このインターフェイスコネクタ３に携帯電話機用充電器１の接続コネクタ６が挿入されて嵌合される。【００１６】  携帯電話機用充電器１は、携帯電話機２を充電する本体５と、携帯電話機２のインターフェイスコネクタ３に嵌合されて電気的に接続される接続コネクタ６と、本体５と接続コネクタ６とを連結する連結体７とからなる。本体５、接続コネクタ６、連結体７の材質は、絶縁材料であればどのようなものでもよく、例えばプラスチック等の合成樹脂が用いられる。【００１７】  本体５は、携帯電話機２を充電するバッテリー等の給電源を備え、どのように構成してもよく、例えば、携帯電話機用充電池本体、電池を交換可能に収容する携帯電話機用外付け電池ケース本体等が挙げられる。本体５は、例えば断面ほぼ矩形、ほぼ円形、ほぼ楕円形、ほぼ多角形等の箱状に形成され、具体的には例えば、断面ほぼ矩形の箱状に形成されている。【００１８】  本体５が携帯電話機用充電池本体である場合には、給電源は１次電池でも２次電池でもよい。具体的には例えば、１次電池の場合には市販乾電池と同様に使い捨てタイプのもので、例えば市販されている００６Ｐ型（規格番号００６Ｐ型）の９Ｖ乾電池、単１乾電池、単２乾電池、単３乾電池、単４乾電池等に内蔵されている電池セルを１つ又は２つ以上収容してなるものである。【００１９】  本体５が携帯電話機用外付け電池ケース本体である場合には、給電源は、単＊型乾電池等の電池であり、例えば、本体５（携帯電話機用外付け電池ケース本体）は、単＊型乾電池を１本又は２本以上交換して繰り返し携帯電話機の内蔵電池の充電を行えるならばどのように構成してもよい。【００２０】  単＊型乾電池としては、市販されている単１乾電池、単２乾電池、単３乾電池、単４乾電池、単５乾電池等の一次電池や、それら一次電池とほぼ同じ形の二次電池である。単＊型乾電池としては、好ましくは、単３乾電池、単４乾電池の一次電池、それら一次電池とほぼ同じ形の二次電池である。
一次電池としては、例えばマンガン電池、アルカリ電池等が使用できる。また、二次電池としては、充電可能な電池であれば特に限定されず、例えば、ニッケル水素電池、ニカド電池等が使用できる。【００２１】  携帯電話機用外付け電池ケース本体は、単＊型乾電池を交換可能に収容する電池収容部（図示せず）を有すると共に、その電池収容部の開口部を開閉する蓋（図示せず）が着脱自在に取り付けられる。
携帯電話機用外付け電池ケース本体には、電池収容部に収容される単＊型乾電池を直列接続又は並列接続する接続端子（図示せず）が設けられていると共に、直列接続又は並列接続された電池のプラス極に接続されるプラス端子（図示せず）と、その電池のマイナス極に接続されるマイナス端子（図示せず）とが設けられている。
また、プラス端子は、必要に応じて回路部（図示せず）に接続されている。【００２２】  回路部は、携帯電話機用外付け電池ケース本体に収容した単＊型乾電池の出力電圧を、携帯電話機２を充電し得る充電許容電圧に昇圧する昇圧回路を備えている。
昇圧回路は、具体的には例えば、携帯電話機２の内蔵電池の電圧が５．３Ｖである場合には、出力電圧が６．０〜６．８Ｖの充電許容電圧となるようにするものであり、どのように構成してもよい。【００２３】  回路部は、携帯電話機用外付け電池ケース本体に収容した単＊型乾電池の出力電圧を調整する回路として昇圧回路のみを備える場合には昇圧回路は、一次電池（例えば市販の単＊型の乾電池は電圧が約１．５Ｖ（±０．３Ｖ））と二次電池（例えば市販の充電可能な電池は電圧が約１．２Ｖ（±０．３Ｖ））とでは出力電圧が異なるので、一次電池を基準として回路を構成すると、二次電池の場合には出力電圧が充電許容電圧とならない場合があり、一次電池用の回路と二次電池用の回路の両方が必要になる。このため、携帯電話機用外付け電池ケース本体は、一次電池用と二次電池用との２つを製造するようにする。【００２４】  回路部は、昇圧回路と共に調節制御回路を備えることが好ましい。
調節制御回路は、昇圧回路により昇圧した出力電圧が、充電許容電圧以外のとき、出力電圧を充電許容電圧に調節するものである。すなわち、一次電池と二次電池とでは出力電圧が異なるため、昇圧回路のみでは一次電池を用いた場合と二次電池を用いた場合とではどちらか一方の出力電圧が充電許容電圧にならないときがあるので、この場合に出力電圧を充電許容電圧になるように調節制御回路を備える。つまり、通常、昇圧回路が一次電池を基準として構成されると、一次電池を使用した場合では携帯電話機２の内蔵電池の充電を行えるが、二次電池を使用した場合では携帯電話機２の内蔵電池の充電を行えない場合があるので、一次電池と二次電池との両方で携帯電話機２の内蔵電池の充電を行えるように昇圧回路と調節制御回路との両方の回路を回路部が備えていることが好ましい。【００２５】  また、携帯電話機用外付け電池ケース本体には、携帯電話機２に電気的に接続したときのみ、回路部に単＊型乾電池の電流が流れ得る状態にするスイッチ手段（図示せず）を設けることが好ましい。
スイッチ手段は、携帯電話機２の充電を行うときに回路部に単＊型乾電池の電流が流れ得る状態にするようにできるならばどのように構成してもよい。例えば、携帯電話機用外付け電池ケース本体の側部等にＯＮ・ＯＦＦを切り替える（回路部への通電を切り替える）切替スイッチを設けるようにしてもよいが、充電を行うときのみに自動的に回路部に電流が流れ得る状態にするようにすることが好ましい。【００２６】  スイッチ手段は、具体的には例えば、接続コネクタ６に設けられ、接続コネクタ６をインターフェイスコネクタ３に挿嵌したとき（接続コネクタ６がインターフェイスコネクタ３に電気的に接続されたとき）のみ、単＊型乾電池の電流が流れ得る状態に動作する検知回路を有する回路部とからなる。【００２７】  また、回路部は、携帯電話機用外付け電池ケース本体（電池収容部）に収容される単＊型乾電池を並列接続する場合、切替回路を備えることが好ましい。
切替回路は、携帯電話機用外付け電池ケース本体に収容した２本以上の単＊型乾電池を順に１本ずつ切り替えて携帯電話機２の充電を行うものである。その切替は、充電を行っている途中で行うようにしてもよいが、充電を行っている１本の単＊型乾電池を使い切った後に行う（１本の単＊型乾電池で携帯電話機２の充電が行えなくなるまで行い、その充電が行えなくなったら別の１本の単＊型乾電池で携帯電話機２の充電を行うようにする）ことが好ましい。【００２８】  また、携帯電話機用外付け電池ケース本体には、本体に収容した単＊型乾電池の携帯電話機２への充電を行えるか否かの状態を表示する表示手段（図示せず）を設けることが好ましい。
表示手段は、各単＊型乾電池の状態を表示することができるならばどのようなものでもよく、例えば、インジケーターやＬＥＤ等が挙げられる。【００２９】  また、回路部は、電圧決定回路を備えることが好ましい。
電圧決定回路は、携帯電話機２に電気的に接続され、該携帯電話機２からの信号により充電許容電圧を該携帯電話機２の充電許容電圧にするものである。すなわち、電圧決定回路は、携帯電話機２が製造メーカー、種類によってその充電許容電圧が異なる場合があるため、携帯電話機２に適した充電許容電圧で充電を行うためのものである。【００３０】  接続コネクタ６は、携帯電話機２のインターフェイスコネクタ３に挿入されて嵌合されるオス型のコネクタであり、その挿入方向に対して直交する方向の断面がほぼ細長の矩形状に形成されている。接続コネクタ６には、インターフェイスコネクタ３の端子部が嵌合されて電気的に接続される端子凹部（図示せず）が設けられて、内蔵電池の充電が行えるようになっている。【００３１】  接続コネクタ６を形成する壁部は、インターフェイスコネクタ３の対応する内壁とそれぞれ嵌合し得るように例えば長さが長い対向する両壁部（両長壁部）に、溝や突出した部分（突条）が設けられている。すなわち、接続コネクタ６をインターフェイスコネクタ３に挿入して嵌合するとき、接続コネクタ６を左右逆に挿入しようとしても、挿入できないような形状に接続コネクタ６を形成する壁部が形成されている。【００３２】  接続コネクタ６には、インターフェイスコネクタ３に挿嵌したとき、接続コネクタ６がインターフェイスコネクタ３から拔け難くする抜出抑制部（図示せず）を設けることが好ましい。
抜出抑制部は、どのように構成してもよく、例えば、接続コネクタ６の両短壁部（残りの両壁部（長さが短い対向する両壁部））に、インターフェイスコネクタ３を形成する内壁又は内壁に設けられた係合部と係合して接続コネクタ６を係止する係止部をそれぞれ一体的に又は個別に設けて構成するようにしてもよい。【００３３】  一体的に設けられる係止部としては、嵌合方向に沿って延在すると共に、短壁部内に可撓可能に形成される。係止部の外表面には、例えば断面ほぼ半円形状の突部（係合突部）が設けられ、この突部がインターフェイスコネクタ３の内壁の係合部（図示せず）と係合し、接続コネクタ６がインターフェイスコネクタ３から抜け難くなる。【００３４】  抜出抑制部としては、係止部を設けて構成してもよいが、接続コネクタ６の両短壁部に、接続コネクタ６の延在方向に沿って延在し、端子凹部に連通されるスリットを設けて構成してもよい。この場合、接続コネクタ６の長壁部の幅（長壁部の外表面の幅）は、対応するインターフェイスコネクタ３の長内壁の幅より大きく、好ましくは少し大きく形成することがよい。
スリットは、接続コネクタ６の長壁部間の幅を弾性変形により短くするものであり、スリットの幅は、長壁部間の幅を弾性変形によりインターフェイスコネクタ３の長内壁の幅以下にする範囲から任意に決められる。【００３５】  接続コネクタ６には、インターフェイスコネクタ３への挿嵌が容易に行えるように嵌合案内部（図示せず）を設けることが好ましい。
嵌合案内部は、どのように構成してもよく、例えば、両長壁部の先端部（嵌合方向先端部）の側端部に、インターフェイスコネクタ３内へと案内する傾斜面をそれぞれ形成して構成するようにしてもよい。傾斜面の先端部間の幅は、対応するインターフェイスコネクタ３の内壁間の幅（間隔）より小さく形成するようにする。この傾斜面と共に、両短壁部の先端部の側端部に、ほぼ同様にインターフェイスコネクタ３内へと案内する傾斜面をそれぞれ形成するようにしてもよい。
傾斜面の形状は、例えば、ＲやＣ面（平面）状に形成される。【００３６】  連結体７は、本体５と接続コネクタ６とを連結すると共に、接続コネクタ６をインターフェイスコネクタ３に接続したとき、本体５を携帯電話機２の裏面に近接すると共に対向させた状態に保持し得るものである。ここで、本体５を携帯電話機２の裏面に近接及び対向させた状態に保持し得るとは、本体５を携帯電話機２の裏面に近接及び対向させた状態を一定時間保持することができること、つまり形状を維持することができることをいい、例えば、連結体が容易に可撓して瞬間的に本体５を携帯電話機２の裏面に近接及び対向させることとは異なる。【００３７】  連結体７は、本体５を携帯電話機２の裏面に近接及び対向させた状態に保持することができるならばどのように構成してもよく、例えば、フレキシブル電線、フレキシブルチューブ等のフレキシブル連結体であってもよいし、３つの連結片１１、１２、１３からほぼコ字状に形成されてなるものでもよい。【００３８】  フレキシブル連結体は、フレキシブル状のものであればどのようなものでもよく、例えば、図３に示すようにフレキシブル電線１０、フレキシブルチューブ、フレキシブルジョイント等が挙げられる。【００３９】  連結体７は、図１、図２、図４乃至図６に示すように、３つの連結片１１、１２、１３からなる場合には、一方の側部である第１連結片１１の端部に、その第１連結片１１に沿って接続コネクタ６が設けられている。他方の側部である第３連結片１３は、本体５と同一であってもよい。【００４０】  ３つの連結片１１、１２、１３は、ほぼコ字状に固定されてなるものでもよいが、ほぼコ字状に形成される２つの角部の少なくとも一方（一方又は両方）が隣接する連結片が互いに折り曲げ可能に連結してなる折曲部１４、１５として形成されてなるものが好ましい。折曲部１４、１５は、２つの連結片を互いに折り曲げ可能に連結することができるならばどのように形成してもよい。【００４１】  具体的には例えば、図２及び図６に示すように、第１連結片１１と第２連結片１２とが互いに折り曲げ可能に連結されてその連結部（角部）が折曲部１４として形成されていると共に、第２連結片１２と第３連結片１３とが互いに折り曲げ可能に連結されてその連結部（角部）が折曲部１５として形成されていることが好ましい。この場合、３つの連結片１１、１２、１３は、直線状に配置されると共にこの直線状の状態から両方向にそれぞれほぼコ字状に折り曲げ可能に各折曲部１４、１５が形成されていることが好ましい。【００４２】  また、図４に示すように、第１連結片１１と第２連結片１２とがほぼＬ字状に一体的に形成されていると共に、第２連結片１２と第３連結片１３とが互いに折り曲げ可能に連結されてその連結部（角部）が折曲部１５として形成されていることが好ましい。また、図５に示すように、第２連結片１２と第３連結片１３とがほぼＬ字状に一体的に形成されていると共に、第１連結片１１と第２連結片１２とが互いに折り曲げ可能に連結されてその連結部（角部）が折曲部１４として形成されていることが好ましい。【００４３】  また、連結体７は、接続コネクタ６をインターフェイスコネクタ３に接続した状態で、��体５を携帯電話機２の裏面に沿って移動可能及び／又は携帯電話機の裏面に対して直交する方向に沿って移動可能に形成されていることが好ましく、その移動構造はどのように形成してもよく。【００４４】  具体的には例えば、図４に示すように、第３連結片１３の第２連結片１２との連結部側に、第３連結片１３の長手方向に沿って延在する長孔２０を設け、第２連結片１２の連結部側に、第２連結片１２の長手方向に沿って延在する長孔２１を設ける。これら長孔２０、２１に、係合ピン２２を挿入して、本体５を携帯電話機２の裏面に沿うと共に直交する方向沿った両方向に移動可能に形成するようにしてもよい。【００４５】  また、図５に示すように、第２連結片１２の第１連結片１１との連結部側に、第２連結片１２の長手方向に沿って延在する長孔２３を設け、第１連結片１１の連結部側に、第１連結片１１の長手方向に沿って延在する長孔２４を設ける。これら長孔２３、２４に、係合ピン２５を挿入して、本体５を携帯電話機２の裏面に沿うと共に直交する方向沿った両方向に移動可能に形成するようにしてもよい。【００４６】  また、図６に示すように、第３連結片１３の第２連結片１２との連結部側に、第３連結片１３の長手方向に沿って延在する長孔２６を設け、この長孔２６に、第２連結片１２に固定されている係合ピン２７を挿入して、本体５を携帯電話機２の裏面に沿って移動可能に形成する。かつ、第２連結片１２の第１連結片１１との連結部側に、第２連結片１２の長手方向に沿って延在する長孔２８を設け、この長孔２８に、第１連結片１１に固定されている係合ピン２９を挿入して、本体５を携帯電話機２の裏面に沿って移動可能に形成するようにしてもよい。【００４７】  また、折り曲げ可能に連結する連結片１１、１２、１３には、連結片１１、１２、１３を直線状に保持する第１係合手段（図示せず）をそれぞれ設けると共に、その直線状から折り曲げてほぼ直角状になったらその状態に保持する第２係合手段（図示せず）をそれぞれ設けることが好ましい。これにより、連結体７を直線状及びほぼコ字状に確実に保持することが可能となる。【００４８】  また、本体５には、図２及び図３に示すように、固着手段３０を設けることが好ましい。
固着手段３０は、接続コネクタ６を携帯電話機２のインターフェイスコネクタ３に嵌合させて接続させ、本体５を携帯電話機２の裏面に近接すると共に対向した状態で本体５を携帯電話機２の裏面に着脱可能に固着するものである。
固着手段３０は、固着することができるならばどのように形成してもよく、例えば、マグネット、粘着テープ、粘着剤、又は図示するように吸盤３１等が挙げられる。【００４９】  マグネットは、特に限定されずどのようなものでもよい。マグネットの大きさは特に限定されず、その個数は１つでも２つ以上でもよい。
粘着テープ及び粘着剤は、特に限定されずどのようなものでもよい。粘着テープ及び粘着剤の大きさは特に限定されず、その個数は１つでも２つ以上でもよい。
吸盤３１は、携帯電話機２の裏面に吸着して本体５を固着することができるならばどのようなものでもよい。吸盤３１の大きさは特に限定されず、その個数は１つでも２つ以上でもよい。【００５０】  また、本体５に固着手段３０を設ける場合には、連結体７は、接続コネクタ６をインターフェイスコネクタ３に接続したとき、本体５を携帯電話機２の裏面に近接すると共に対向させた状態にし得るものであればよく、どのようなものでもよい。この場合の連結体としては、例えば、電線や柔軟性の合成樹脂製チューブ等により形成されてもよい。【００５１】  次にこの携帯電話機用充電器１を用いて携帯電話機２の内蔵電池の充電を行う場合について説明する。【００５２】  本体５が携帯電話機用外付け電池ケース本体である場合には、携帯電話機用外付け電池ケース本体の電池収容部に予め単＊型乾電池を収容する。
接続コネクタ６を、図１に示すように、携帯電話機２のインターフェイスコネクタ３につき合わせて、図２乃至図６に示すように、接続コネクタ６をインターフェイスコネクタ３内に挿入して嵌合する。【００５３】  この嵌合で、接続コネクタ６とインターフェイスコネクタ３とが電気的に接続されて、本体５によって携帯電話機２の内蔵電池が充電される。
このとき、本体５が携帯電話機２の裏面に近接及び対向した状態に保持されていない場合、例えば連結体７の３つの連結片１１、１２、１３が直線状に配置されているときには、本体５が携帯電話機２の裏面に近接及び対向するように、第１連結片１１と第３連結片１３とを折曲部１４を介してほぼ直交するように折り曲げると共に、第２連結片１２と第３連結片１３とを折曲部１５を介してほぼ直交するように折り曲げる。すなわち、連結体７を図２及び図６に示すように、ほぼコ字状に折り曲て、本体５を携帯電話機の裏面に近接及び対向するように保持させる。また、連結体７がフレキシブル電線１０である場合には、図３に示すように、フレキシブル電線１０を本体５が携帯電話機２の裏面に近接及び対向するように折り曲げる。【００５４】  このように、本発明の携帯電話機用充電器１は、携帯電話機２の内蔵電池を充電するときに、本体５を携帯電話機２の裏面に近接及び対向するように保持させることができるので、本体５が邪魔にならずに充電を行えることになる。これによって、例えばカバンやバック等の中にいれても携帯電話機用充電器１が邪魔になることもなくなる。【００５５】  また、本体５に固着手段３０、例えば吸盤３１を設けることにより、充電中（接続コネクタ６を携帯電話機２のインターフェスコネクタ３に嵌合させて接続させているとき）に、図２及び図３に示すように、本体５を携帯電話機２の裏面に固着することができる。これにより、本体５が裏面からずれることがないので、より確実に邪魔になることがなく携帯電話機２の充電を行える。また、本体５が携帯電話機２に固着されていると、接続コネクタ６がインターフェイスコネクタ３から抜けることがないので、より確実に充電を行えることになる。【００５６】  また、本体５を携帯電話機２に固着することにより、本体５の重量がすべて接続コネクタ６にかかることがないので、接続コネクタ６が破損する心配もない。すなわち、接続コネクタ６を携帯電話機２のインターフェイスコネクタ３に嵌合させて接続させているとき、本体５が携帯電話機２に固着されていないと、携帯電話機用充電器１の重量がすべて接続コネクタ６にかかるので、接続コネクタ６が破損するおそれも考えられる。特に接続コネクタ６がＣＤＭＡ方式に対応するコネクタである場合には、接続コネクタ６も小型化するので、接続コネクタ６が破損するおそれが考えられる。また、近年、携帯電話機２の機能、特に画像を扱うために使用電量が増えるので、その電量を満たすためには本体５が大型化すると、接続コネクタ６にかかる負荷も増えて接続コネクタ６が破損するおそれが考えられる。これに対して、接続コネクタ６を携帯電話機２のインターフェイスコネクタ３に嵌合させて接続させているときに、本体５を吸盤３１によって携帯電話機２に固着することにより、本体５の重量が接続コネクタ３にほとんどかかることがないので、接続コネクタ６が破損する心配もない。これによって、例えばカバンやバック等の中にいれて移動させても接続コネクタ６が破損する心配もない。【００５７】  また、本体５に固着手段３０を設けた場合に、連結体７が、接続コネクタ６をインターフェイスコネクタ３に接続したとき、本体５を携帯電話機２���裏面に近接すると共に対向させた状態に保持するものでないもの（形状を維持することができないもの）で構成されているときには、本体５を携帯電話機２の裏面に近接すると共に対向させた状態にして本体５を固着手段例えば吸盤３１によって携帯電話機２の裏面に固着するようにする。これにより、携帯電話機２の内蔵電池を充電するときに、本体５が邪魔にならない。
【発明の効果】
【００５８】  本発明の携帯電話機用充電器は邪魔にならずに充電を行えるものである。
【図面の簡単な説明】
【図１】  本発明の携帯電話機用充電器の一例を示す平面図である。
【図２】  本発明の携帯電話機用充電器を携帯電話機に接続させた状態を示す側面図である。
【図３】  本発明の他の例の携帯電話機用充電器を携帯電話機に接続させた状態を示す側面図である。
【図４】  本発明の連結体の他の例を示す側面図である。
【図５】  本発明の連結体の他の例を示す側面図である。
【図６】  本発明の連結体の他の例を示す側面図である。
【図７】  従来の携帯電話機用充電器を携帯電話機に接続させた状態を示す図である。
【符号の説明】
１    携帯電話機用充電器
２    携帯電話機
３    インターフェイスコネクタ
５    本体
６    接続コネクタ
７    連結体
３０  固着手段
３１  吸盤
【図１】
2005033976.tif 000003
【図２】
2005033976.tif 000004
【図３】
2005033976.tif 000005
【図４】
2005033976.tif 000006
【図５】
2005033976.tif 000007
【図６】
2005033976.tif 000008
【図７】
2005033976.tif 000009